(57)【要約】【課題】無線リソースの有効利用が可能な無線リソースのスケジューリング方法を提供する。【解決手段】複数の携帯端末装置からの受信データを処理するための無線リソースを、待ち合わせ処理を許容する受信データの処理用に全ての無線リソースを仮割当てし、待ち合わせ処理を許容しない受信データを受け取ったときに、仮割当てされた無線リソースの少なくとも一部を、待ち合わせ処理を許容しない受信データの処理への割当に振り替える。【選択図】      図１
2010226202.tif 000002
【特許請求の範囲】
【請求項１】
複数の携帯端末装置からの受信データを処理するための無線リソースを、待ち合わせ処理を許容する受信データの処理用に全ての無線リソースを仮割当てし、
待ち合わせ処理を許容しない受信データを受け取ったときに、前記仮割当てされた無線リソースの少なくとも一部を、前記待ち合わせ処理を許容しない受信データの処理への割当に振り替える
ことを特徴とする無線リソースのスケジューリング方法。
【請求項２】
請求項１に記載の無線リソースのスケジューリング方法において、
前記無線リソースを仮割当てする際に、
前記各携帯端末装置について、前記待ち合わせ処理を許容しない受信データの予想される量と前記仮割当てされた無線リソースの量とに基づいて、前記待ち合わせ処理を許容しない受信データが到来した場合に無線リソースを振り替えることが可能な振替元の候補を抽出する
ことを特徴とする無線リソースのスケジューリング方法。
【請求項３】
複数の携帯端末装置からの受信データを処理するための無線リソースを、待ち合わせ処理を許容する受信データの処理用に全ての無線リソースを仮割当てする仮割当手段と、
待ち合わせ処理を許容しない受信データを受け取ったときに、前記仮割当てされた無線リソースの少なくとも一部を、前記待ち合わせ処理を許容しない受信データの処理への割当に振り替える振替手段と
を備えたことを特徴とする無線通信装置。
【請求項４】
請求項３に記載の無線通信装置において、
前記各携帯端末装置について、前記待ち合わせ処理を許容しない受信データの予想される量と前記各携帯端末装置に仮割当てされた無線リソースの量とに基づいて、前記待ち合わせ処理を許容しない受信データが到来した場合に無線リソースを振り替えることが可能な振替元の候補を抽出する候補抽出部と、
前記抽出された振替元の候補を振替先となる前記携帯端末装置に対応して登録した振替管理テーブルとを備える
ことを特徴とする無線通信装置。
【請求項５】
請求項３に記載の無線通信装置において、
前記仮割当手段は、前記仮割当てされた無線リソースに対応する送信許容データ量を示す指標を前記各携帯端末装置に通知する
ことを特徴とする無線通信装置。
【発明の詳細な説明】
【技術分野】
【０００１】
本発明は、無線リソースのスケジューリング方法およびこの無線リソースのスケジューリング方法を適用した無線通信装置に関する。
【背景技術】
【０００２】
近年では、移動端末装置から無線基地局への上り方向のデータ伝送を高速化するＨＳＵＰＡ(High Speed Uplink Packet Access)方式の採用が注目されるようになっている(非特許文献１参照)。
【０００３】
ＨＳＵＰＡ方式の移動通信システムでは、上り方向の無線チャネルは、E−DPDCH(E-DCH Dedicated Physical Data Channel)、E−DPCCH(E-DCH Dedicated Physical Control Channel)とDPCCH(Dedicated Physical Control Channel)を含んでいる。そして、移動端末装置が上り方向の無線チャネルを利用して伝送可能なデータ量は、下り方向の無線チャネルであるE-AGCCH(E-DCH Absolute Grant Channel)、E-RGCH(E-DCH Relative Grant Channel)を介して通知されるServing Grantに依存する。
【０００４】
Serving Grantは、無線環境の良否を示す指標であり、例えば、基地局装置において各利用者の移動端末装置の送信電力比を測定した結果などに基づいて、基地局装置内で確定され、各利用者への無線リソースの割当制御にも利用される。
【０００５】
E-DCHデータの送信モードにはScheduled transmissionモード、Non-Scheduled transmissionモードの2つがある。
【０００６】
Scheduled transmissionモードは、処理遅延に起因する待ち合わせ時間の許容可能なデータの伝送に適用される。このモードでは、無線通信装置から通知されるServing Grantに沿ったデータ量のみを送信することが可能である。また、データ送信可能なタイミング(プロセス)も割り当てられ、基地局装置側の無線通信装置から通知される。
【０００７】
一方、Non-Scheduled transmissionモードは、処理遅延に起因する待ち合わせ時間を許容し難いデータの伝送に適用される。このモードは、SRB(Signaling Radio Bearer carrying control plane data)やVoIPサービスに代表されるGBR(Guaranteed Bit Rate)等のサービスのためのデータ伝送に適用される。このモードでは、基地局装置側の無線通信装置から通知されるServing Grantによらず、あらかじめ決められたデータサイズ、送信タイミングでの送信を移動端末装置側に許可することが規定されている。
【０００８】
このため、基地局装置側の無線通信装置で各移動端末装置に対応するServing Grantを確定するのに先立って、まず、Non-Scheduled transmissionデータ向けの信号処理リソースが固定的に確保される。その上で、Scheduled transmissionデータ向けに割当可能分として残された信号処理リソースに応じてServing Grantを決定し、これを各利用者に通知している。
【０００９】
図９に、従来の無線リソースのスケジューリング例を示す。
【００１０】
図９(ａ)に示した例では、移動端末装置ＭＳ１〜４からNon-Scheduled transmissionデータを受信する可能性のあるサブフレームについて、Non-Scheduled transmissionデータのための無線リソースがそれぞれ確保されている。なお、図９においては、各移動端末装置ＭＳ１〜４について、Non-Scheduled transmissionデータ用に確保されている無線リソースは、それぞれ網掛けの種類を変えて示した。
【００１１】
このように、従来の無線リソースのスケジューリング処理では、予めNon-Scheduled transmissionモード用の無線リソースを優先的に確保することにより、このモードが割り当てられたデータの処理遅延の発生を回避している。
【先行技術文献】
【非特許文献】
【００１２】
【非特許文献１】3G TS 25.309(3rd Generation Partnership Project: Technical Specification Group Radio Access Network ; FDD Enhanced Uplink: Overall description: Stage2)
【発明の概要】
【発明が解決しようとする課題】
【００１３】
ところで、Non-Scheduled transmissionモードが割り当てられるサービスのデータは、遅滞なく処理することが要求されるものの、利用者の移動端末装置側から高い頻度で送られてくるものではない。したがって、Non-Scheduled transmissionモードのデータの処理用に確保された無線リソースが、実際には受信データがなかったために利用されない場合も多い。
【００１４】
例えば、全ての移動端末装置からScheduled transmissionモードのデータのみが到来した場合は、図９(ｂ)に示すように、各サブフレームで網掛けを付して示した分の無線リソースが利用されないことになる。このような場合には、Scheduled transmissionデータ向けに割り当てられる無線リソースは無用に抑制されていたことになり、セルスループットを低下させてしまう可能性がある。
【００１５】
つまり、Non-Scheduled transmissionモードのデータの処理用に無線リソースを予め確保しておく従来のスケジューリング方法は、リソースの有効利用の観点からは必ずしも効率的ではない。
【００１６】
本件は、無線リソースの有効利用が可能な無線リソースのスケジューリング方法を提供することを目的とする。また、本件は、無線リソースの有効利用が可能な無線通信装置を提供することを目的とする。
【課題を解決するための手段】
【００１７】
上述した目的は、以下に開示する無線リソースのスケジューリング方法によって達成することができる。
【００１８】
一つの観点による無線リソースのスケジューリング方法は、複数の携帯端末装置からの受信データを処理するための無線リソースを、待ち合わせ処理を許容する受信データの処理用に全ての無線リソースを仮割当てし、待ち合わせ処理を許容しない受信データを受け取ったときに、仮割当てされた無線リソースの少なくとも一部を、待ち合わせ処理を許容しない受信データの処理への割当に振り替える。
【００１９】
また、上述した目的は、以下に開示する無線通信装置によって達成することができる。
【００２０】
一つの観点による無線通信装置は、複数の携帯端末装置からの受信データを処理するための無線リソースを、待ち合わせ処理を許容する受信データの処理用に全ての無線リソースを仮割当てする仮割当手段と、待ち合わせ処理を許容しない受信データを受け取ったときに、仮割当てされた無線リソースの少なくとも一部を、待ち合わせ処理を許容しない受信データの処理への割当に振り替える振替手段とを備える。
【発明の効果】
【００２１】
上記の無線リソースのスケジューリング方法および無線通信装置によれば、無線リソースの有効利用が可能である。
【図面の簡単な説明】
【００２２】
【図１】基地局装置の一実施形態を示す図である。
【図２】リソース配分管理部の一実施形態を示す図である。
【図３】個別管理情報テーブルの例を示す図である。
【図４】振替元候補テーブル、振替管理テーブルの例を示す図である。
【図５】無線リソースの振替処理を説明する図である。
【図６】振替元候補抽出動作を表す流れ図である。
【図７】無線リソース振替動作を表す流れ図である。
【図８】振替元ユーザを決定する動作を表す流れ図である。
【図９】従来の無線リソースのスケジューリングを説明する図である。
【発明を実施するための形態】
【００２３】
以下、図面に基づいて、本発明の無線リソースのスケジューリング方法を用いて無線通信装置の一例である基地局装置の実施形態について詳細に説明する。
【００２４】
図１に、基地局装置の一実施形態を示す。
【００２５】
図1に示した基地局装置において、移動端末装置(ＭＳ)からの上り信号は、無線受信部２１１によって受信された後、逆拡散部２１２を介してデコード部２１３に渡される。そして、このデコード部２１３によって復号された受信データは、データバッファ２１６を介して基地局制御装置(ＲＮＣ)などの上位装置に送られる。また、データバッファ２１６に保持されたデータに基づいて、再送制御部２１９による再送制御が行われる。
【００２６】
また、図１に示した電力算出部２１４は、逆拡散部２１２で得られる情報とデコード部２１３で得られる情報に基づいて、Ｅ−ＤＰＤＣＨとＥ−ＤＰＣＣＨの電力値を算出する。そして、この電力値等に基づいて、Serving Grant(ＳＧ)管理部２１５により、Serving Grantが求められる。
【００２７】
図１に示したＳＧ管理部２１５は、上述した仮割当手段に対応する。ＳＧ管理部２１５は、セル内に在圏している各ユーザの移動端末装置からnon-scheduled transmissionモードのデータを受信する可能性の有無にかかわらず、電力算出部２１４で求められた電力値等に応じてServing Grantを決定する。つまり、ＳＧ管理部２１５は、全ての無線リソースをscheduled transmissionモードのデータの受信に利用できるものとして、各ユーザへの無線リソースの配分を仮に決定し、この配分に対応するServing Grantを決定する。なお、non-scheduled transmissionモードのデータは、待ち合わせ処理のための遅延時間を許容しない種類の受信データの一例である。また、scheduled transmissionモードのデータは、待ち合わせ処理を許容する種類の受信データの一例である。
【００２８】
上述したＳＧ管理部２１５によって決定されたServing Grantは、コード化部２２３によるコード化処理に供される。そして、コード化されたServing Grantは、拡散部２２２を介して無線送信部２２１に渡され、下り制御チャネルを介して移動端末装置に送信される。
【００２９】
以下、上述したようにしてServing Grantを決定することで、各ユーザに仮に割り当てられた無線リソースを、移動端末装置からの受信データに応じて再配分する方法について説明する。
【００３０】
図１に示したリソース配分管理部２１７と管理情報保持部２１８とは、上述した振替手段に対応する。
【００３１】
リソース配分管理部２１７は、ＳＧ管理部２１５から無線リソースのスケジューリングに必要な予定配分情報の通知を受け、管理情報保持部２１８に保持する。また、リソース配分管理部２１７は、デコード部２１３からＥ−ＤＰＣＣＨを介して各移動端末装置から通知された制御情報を受け取り、この制御情報に基づいて、後述するようにして、無線リソースの振替を行う。
【００３２】
図２に、リソース配分管理部の一実施形態を示す。
【００３３】
図２に示したリソース配分管理部２１７は、配分情報登録部２３４、候補抽出部２３５、振替処理部２３６および割当制御部２３７を備えている。
【００３４】
配分情報登録部２３４は、ＳＧ管理部２１５から予定配分情報の通知を受け、これに基づいて、各ユーザに対応して、non-scheduled transmissionモードのデータの受信予定や仮割当されたリソース量を個別管理情報テーブル２３１に登録する。
【００３５】
図３に、個別管理情報テーブルの例を示す。図３に示した例では、各ユーザのユーザＩＤに対応して、各サブフレームに予定されるnon-scheduled transmissionモードのデータに対応する無線リソース量や、scheduled transmissionモードのデータ用に仮割当された無線リソース量が登録されている。
【００３６】
この個別管理情報テーブル２３１に保持された情報に基づいて、候補抽出部２３５は、無線リソースの振替を行う際に、無線リソースの少なくとも一部を提供して振替元となることができる振替元候補を抽出し、振替元候補テーブル２３２に登録する。図４(ａ)に、振替元候補テーブルの例を示す。
【００３７】
そして、振替処理部２３６は、デコード部２１３から通知される制御情報と個別管理情報テーブル２３１に保持された情報とに基づいて、無線リソースの振替の必要性を判定する。また、振替処理部２３６は、振替による無線リソースの追加が必要とされたユーザについて、振替元候補テーブル２３２に基づいて振替元となるユーザを決定し、この振替に関する情報を振替管理テーブル２３３に登録する。図４(ｂ)に、振替管理テーブルの例を示す。
【００３８】
また、割当制御部２３７は、振替処理部２３６による判定結果と振替管理テーブル２３３とに基づいて、デコード部２１３および逆拡散部２１２において各ユーザからの受信データの処理に用いる無線リソースの割当を制御する。
【００３９】
次に、移動端末装置ＭＳ＃１，ＭＳ＃２，ＭＳ＃３，ＭＳ＃４のscheduled データ用に無線リソースを仮に割り当てた場合を例として、無線リソースの振替動作を説明する。
【００４０】
図５(ａ)に、上述した各移動端末装置への無線リソースの仮割当例を示す。また、図６に、振替元候補抽出動作を表す流れ図を示す。
【００４１】
図５(ａ)に示した例では、移動端末装置ＭＳ＃１、ＭＳ＃２に対して、全てのサブフレームについて無線リソースの３０%に相当するscheduled データの送信を許容する旨のServing Grantが通知されている。これにより、Serving Grantの通知の段階において、移動端末装置ＭＳ＃１、ＭＳ＃２のscheduled データ用に、全てのサブフレームについて無線リソースの３０%が暫定的に割り当てられる。同様に、移動端末装置ＭＳ＃３のscheduled データ用には、第０サブフレームを除く、第１サブフレームから第７サブフレームの範囲で無線リソースの３０%が暫定的に割り当てられる。一方、移動端末装置ＭＳ＃４のscheduled データ用には、第０サブフレームと、第２サブフレームから第７サブフレームの範囲で無線リソースの１０%が暫定的に割り当てられる。
【００４２】
図２に示した配分情報登録部２３４は、このような暫定的な割当を示す情報を含む予定配分情報をＳＧ管理部２１５から受け取り、受け取った予定配分情報を各ユーザのユーザＩＤに対応して個別管理情報テーブル２３１に登録する(図６のステップ３０１参照)。
【００４３】
配分情報登録部２３４が受け取る予定配分情報には、各ユーザからのnon-scheduled transmissionモードのデータを受信する可能性があるサブフレームおよびそのデータ量を示す情報が含まれている。そして、この情報に基づいて、個別管理情報テーブル２３１へのnon-scheduled transmissionモードのデータの予定量が登録される。
【００４４】
例えば、図３に示した例では、移動端末装置ＭＳ＃１に対応して、全無線リソースの１０%に相当する量のnon-scheduled transmissionモードのデータについて、サブフレーム#０から#７までの範囲に亘って受信の受付が要求されることが示されている。また、移動端末装置ＭＳ＃２に対応するnon-scheduled transmissionモードのデータについての予定量を示す情報では、サブフレーム＃０、＃４において全無線リソースの４０%に相当する量の受信データの受付が要求されることが示される。同様に、移動端末装置ＭＳ＃３に対応するnon-scheduled transmissionモードのデータについての予定量を示す情報では、サブフレーム＃０、＃３、＃５、＃７において全無線リソースの２０%に相当する量の受信データの受付が要求されることが示される。また、移動端末装置ＭＳ＃４に対応するnon-scheduled transmissionモードのデータについての予定量を示す情報では、サブフレーム＃１において全無線リソースの３０%に相当する量の受信データの受付が要求されることが示される。
【００４５】
このようにして、予定配分情報に基づく個別管理情報テーブル２３１への情報の登録が完了した後に、候補抽出部２３５が処理を引き継ぐ。
【００４６】
候補抽出部２３５は、個別管理情報テーブル２３１に登録された順に注目し、注目しているユーザに対応して登録されたnon-scheduled transmissionモードの予定されるデータ量とscheduled transmissionモードのデータ量とを比較する(ステップ３０２)。そして、候補抽出部２３５は、この比較結果に基づいて、そのサブフレームにおいて、注目しているユーザが他のユーザにリソースを提供する振替元候補になることができるか否かを判定する(ステップ３０３)。
【００４７】
例えば、図３に示した例では、移動端末装置ＭＳ＃１に対応する登録情報により、サブフレーム＃０においてnon-scheduled transmissionモードに予定されるデータ量よりもscheduled transmissionモードに予定されるデータ量の方が大きいことが示されている。
この場合に、候補抽出部２３５は、注目しているユーザ(ＭＳ＃１)は、サブフレーム#０において振替元になれると判断する(ステップ３０３の肯定判定)。そして、候補抽出部２３５は、図４(ａ)に示すように、サブフレーム#０に対応する振替元候補テーブル２３２にこのユーザのＩＤであるＭＳ＃１を登録する(ステップ３０５)。
【００４８】
このとき、候補抽出部２３５は、図４(ａ)に示したように、振替元候補テーブル２３２への登録の際に、例えばユーザに割り当てられたプライオリティクラスごとに分類して登録することができる。これにより、後述するように、ユーザに割り当てられたプライオリティクラスを考慮して振替処理を行うことができる。
【００４９】
一方、non-scheduled transmissionモードのデータ量がscheduled transmissionモードのデータ量よりも大きい場合や両者が等しい場合に、候補抽出部２３５は、注目中のユーザはそのサブフレームに振替元になれないと判断する(ステップ３０３の否定判定)。この場合に、候補抽出部２３５は、non-scheduled transmissionモードの受信データが到来したときに必要となる追加分を求めて、個別管理情報テーブル２３１に登録する(ステップ３０４)。このとき、候補抽出部２３５は、そのサブフレームにおいて予定されているnon-scheduled transmissionモード用のリソース量とscheduled transmissionモード用のリソース量との差分を求め、これを追加分として登録することができる。
【００５０】
例えば、図３に示した例では、移動端末装置ＭＳ＃２に対応する登録情報により、サブフレーム#０において、non-scheduled transmissionモードに予定されるデータ量の方がscheduled transmissionモードに予定されるデータ量よりも大きいことが示されている。この場合に、候補抽出部２３５により、両者に対応するリソース量の差分が、移動端末装置ＭＳ＃２のサブフレーム#０に対応する登録情報として登録される。
【００５１】
候補抽出部２３５は、上述したステップ３０２からステップ３０５の処理を各サブフレームについて繰り返す。そして、全てのサブフレームについての処理が完了したときに(ステップ３０６の肯定判定)、ステップ３０７に進んで、全てのユーザについての処理が完了したか否かを判定する。
【００５２】
未処理のユーザがある場合に(ステップ３０７の否定判定)、候補抽出部２３５は、ステップ３０２に戻って、次のユーザについての登録情報に基づいてステップ３０２からステップ３０５の処理を繰り返す。このようにして、全てのユーザについての処理が完了したときに(ステップ３０７の肯定判定)、候補抽出部２３５は処理を終了する。
【００５３】
図６に示した振替元候補を抽出する処理は、制御情報チャネルＥ−ＤＰＣＣＨを介して実際の受信データ量に関する情報が通知されるのに先立って、Serving Grant管理部２１５の処理によってServing Grantが確定されたときに実行することができる。
【００５４】
次に、実際の受信データ量に関する情報の通知に応じて無線リソースの振替を行う方法について説明する。
【００５５】
図７に、無線リソース振替動作を表す流れ図を示す。
【００５６】
振替処理部２３６は、デコード部２１３から通知される各サブフレームにおける受信データ量を示す情報に基づいて、個別管理情報テーブル２３１に各ユーザの受信データの処理に必要なリソースの所要量を登録する(ステップ３１１)。
【００５７】
例えば、図３に示した例では、サブフレーム#０について、移動端末装置ＭＳ＃１，ＭＳ＃２，ＭＳ＃４からそれぞれの割当リソースに相当する量のscheduled transmissionモードの受信データが到来する旨の通知情報に基づいて、各所要量が登録されている。また、移動端末装置ＭＳ＃３からnon-scheduled transmissionモードの受信データが到来する旨の通知情報に応じて、移動端末装置ＭＳ＃３に対応して、上述したnon-scheduled transmissionモードの受信データの処理に必要なリソースの所要量が登録される。
【００５８】
次いで、振替処理部２３６は、各ユーザに対応して登録されたリソース所要量の総和をサブフレームごとに算出し(ステップ３１２)、このリソース所要量の総和が用意されたリソースの全体量を超過するか否かに基づいて、リソースの再配分の必要性を判断する(ステップ３１３)。
【００５９】
図５(ｂ)に、各サブフレームについて、各ユーザからの受信データの処理に要する無線リソースの所要量を積み上げた結果を示す。なお、図５において、各ユーザのscheduled transmissionモードの受信データ用の無線リソースをそれぞれ網掛けの種類を変えて示す。また、サブフレーム#０、#１に移動端末装置ＭＳ＃３，ＭＳ＃４から到来するnon-scheduled transmissionモードの受信データに対応する無線リソースについても、網掛けの種類を変えて示している。
【００６０】
例えば、図５(ｂ)から分かるように、サブフレーム#０について算出される各ユーザのリソース所要量の総和は、移動端末装置ＭＳ＃３からのnon-scheduled transmissionモードの受信データ用のリソースを含めて、無線リソースの全体量の９０％となる。このように、リソース所要量の総和が無線リソースの全体量よりも少ない場合に(ステップ３１３の否定判定)、振替処理部２３６は、無線リソースの再配分は不要と判断する。この場合に、割当制御部２３７により、デコード部２１３および逆拡散部２１２において、各ユーザについて到来が予定される受信データに対応する所要量の無線リソースが割り当てられ(ステップ３１４)、そのサブフレームについての処理を終了する。
【００６１】
一方、図５(ｂ)に示した例のサブフレーム#１のように、リソース所要量の総和が無線リソースの全体量を超過してしまっている場合に(ステップ３１３の肯定判定)、振替処理部２３６は、無線リソースの再配分が必要と判断する。
【００６２】
この場合に、振替処理部２３６は、まず、個別管理情報テーブル２３１を参照し、そのサブフレームにおいて各ユーザに割り当てられたscheduled リソース量を得る。そして、このscheduled リソース量から上述した通知で受信することが示されたnon-scheduled データに対応するリソース量を差し引いて、各ユーザの振替許容量を算出する(ステップ３１５)。このとき、振替処理部２３６は、算出した振替許容量を個別管理情報テーブル２３１に登録しておく。
【００６３】
例えば、サブフレーム#１において、移動端末装置ＭＳ＃４からのみnon-scheduled データを受信する旨が通知された場合を考える。この場合には、図３に示すように、他の移動端末装置ＭＳ＃１，ＭＳ＃２，ＭＳ＃３に対応してそれぞれのscheduled リソース量が振替許容量として登録される。
【００６４】
また、振替処理部２３６は、上述したステップ３１５で振替許容量を算出する際に、暫定的に割り当てられた無線リソース量よりも所要リソース量の方が多いとされたユーザについて、他のユーザからの振替が必要と判断する(ステップ３１６の肯定判定)。この場合に、振替処理部２３６は、該当するユーザを振替対象として検出するとともに、振替によって追加すべき無線リソース量を求める。そして、このユーザを示すユーザＩＤと振替必要量とを振替管理テーブル２３３に登録する(ステップ３１７)。上述した例では、サブフレーム#１において、移動端末装置ＭＳ#４が振替対象として振替管理テーブル２３３に登録され、振替必要量としてnon-scheduled の受信データに対応するリソース量が登録される(図３、図５(ｂ)参照)。一方、ステップ３１６の否定判定の場合は、このステップ３１７はスキップされる。
【００６５】
上述したステップ３１５からステップ３１７の処理を各ユーザについて繰り返し、全てのユーザについての処理が完了したときに(ステップ３１８の肯定判定)、振替処理部２３６は、振替管理テーブルに登録された振替対象ごとに振替元を決定する(ステップ３１９)。
【００６６】
図８に、振替元ユーザを決定する動作を表す流れ図を示す。
【００６７】
まず、振替処理部２３６は、例えば振替元候補テーブル２３２の注目しているサブフレームに対応する登録情報を参照して、優先順位の低いプライオリティクラスから順に振替元候補として登録されたユーザＩＤを読み込む(ステップ３３１)。そして、振替管理テーブル２３３の振替対象に対応する振替元候補リストに、読み込んだユーザＩＤを登録する(ステップ３３２)。例えば、サブフレーム#１の移動端末装置ＭＳ＃４についての処理では、まず、振替元候補テーブル２３２にプライオリティクラス０に対応して登録されたユーザＩＤ(ＭＳ＃３)が読み込まれ、振替元リストの対応する欄(符号ＰＣ０で示した)に登録される。
【００６８】
次いで、振替処理部２３６は、ステップ３３２で振替元候補リストに登録したユーザＩＤを振替元候補テーブル２３２から削除する(ステップ３３３)。また、このとき、振替処理部２３６は、個別管理情報テーブル２３１を参照し、ステップ３３２で振替管理テーブル２３３に登録されたユーザに対応する振替許容リソース量を加えて振替対象リソース量を算出する(ステップ３３４)。
【００６９】
上述した例では、振替元リストに登録されたユーザＭＳ＃３に暫定的に割り当てられた無線リソース量がそのまま振替対象リソース量となる。このように、ステップ３３４で算出された振替対象リソース量が振替必要量に到達した場合に(ステップ３３５の肯定判定)、振替処理部２３６は、リソースの振替元と振替先との関係を確定して処理を終了する。
【００７０】
一方、ステップ３３５の否定判定の場合は、ステップ３３１に戻って、次に優先順位の低いプライオリティクラスに登録された振替元候補を読み込み、ステップ３３２以下の処理を繰り返す。
【００７１】
振替処理部２３６は、注目しているサブフレームについて振替管理テーブル２３３に登録された振替対象について、上述したステップ３３１からステップ３３５の処理を繰り返して、振替元を決定する。そして、全ての振替対象について振替元を決定する処理が完了したときに(ステップ３２０の肯定判定)、割当制御部２３７により、振替管理テーブル２３３に登録されたリソースの振替を反映した無線リソースの割当が行われる(ステップ３２１)。例えば、図４(ｂ)に示したように、サブフレーム#１における振替管理情報に基づいて、割当制御部２３７は、ユーザＭＳ＃３に割り当てられていた無線リソースを振り替えて、ユーザＭＳ＃４に割り当てることができる。
【００７２】
上述したステップ３１３からステップ３２１の処理を実行することにより、non-scheduled の受信データが到来したサブフレームについて選択的に無線リソースを再配分することができ、無線リソースの割当処理が終了される。
【００７３】
図５(ｃ)に、上述した無線リソースの振替によって、各ユーザに再配分された状態を示す。図５(ｃ)から分かるように、上述した再配分によって、図５(ｂ)に示したような無線リソースの所要量の総和が無線リソースの全体量を超過している状態は解消されている。
【００７４】
このように、全ての無線リソースを暫定的にscheduled データの処理用に割り当てておき、non-scheduled データの到来に応じて振替処理を行うことにより、scheduled データ用の無線リソースを無用に抑制する必要性をなくすことができる。これにより、図５(ｃ)に示したように、全てのサブフレームにおいて無線リソースの割当をほぼ１００%に近づけることが可能となる。このように、図１に示した無線基地局では、上述したようにして、無線リソースのスケジューリングを行うことにより、無線リソースの利用効率を大幅に向上することができる。また、これにより、non-scheduled データについての規定の遵守を図りながら、セルスループットを維持することが可能となる。
【００７５】
なお、図５に示した例では、移動端末装置に滞留している送信データ量に応じて、同一移動端末装置について各サブフレームで受信しているScheduled transmissionデータが異なっている場合を想定している。
【符号の説明】
【００７６】
２１０  基地局装置
２１１  無線受信部
２１２  逆拡散部
２１３  デコード部
２１４  電力算出部
２１５  Serving Grant(ＳＧ)管理部
２１６  データバッファ
２１７  リソース配分管理部
２１８  管理情報保持部
２１９  再送制御部
２２１  無線送信部
２２２  拡散部
２２３  コード化部
２３１  個別管理情報テーブル
２３２  振替元候補テーブル
２３３  振替管理テーブル
２３４  配分情報登録部
２３５  候補抽出部
２３６  振替処理部
２３７  割当制御部
【図１】
2010226202.tif 000003
【図２】
2010226202.tif 000004
【図３】
2010226202.tif 000005
【図４】
2010226202.tif 000006
【図５】
2010226202.tif 000007
【図６】
2010226202.tif 000008
【図７】
2010226202.tif 000009
【図８】
2010226202.tif 000010
【図９】
2010226202.tif 000011